(57)【要約】【課題】テリー織り製織機械のオペレータに、製作したいテリークロスの織物データが、たいした支出なしに簡単に、例えば要求される面積比重量を維持するために修正可能であるような手段を提供する。【解決手段】テリー織り製織機械５において、電子制御式の杼口形成機械９と、互いに無関係に駆動される複数のテリー織り形成機構５ａと、電子式の制御装置４とが設けられている形式のものにおいて、該制御装置４に、可変な織物データのユーザ特有の表示を備えた操作表面３が配属されており、テリークロスのための前記織物データが、記憶媒体Ａ内で、少なくとも１つのデータセットと該データセットに配属された、１〜ｎのアドレスとにまとめられており、前記アドレスが、さらに、組織図と呼ばれる記憶媒体Ｂ内に保管されているようにした。【選択図】図１
2004332192.tif 000002
【特許請求の範囲】
【請求項１】
テリー織り製織機械（５）であって、電子制御式の杼口形成機械（９）と、互いに無関係に駆動される複数のテリー織り形成機構（５ａ）と、電子式の制御装置（４）とが設けられている形式のものにおいて、該制御装置（４）に、可変な織物データのユーザ特有の表示を備えた操作表面（３）が配属されており、テリー織り製織のための前記織物データが、記憶媒体Ａ内で、少なくとも１つのデータセットと該データセットに配属された、１〜ｎのアドレスとにまとめられており、該アドレスが、さらに、組織図と呼ばれる記憶媒体Ｂ内に保管されていることを特徴とするテリー織り製織機械。
【請求項２】
各アドレス１〜ｎが、操作表面において、テリー織り指数として示されている、請求項１記載のテリー織り製織機械。
【請求項３】
各データセットのデータが、有利には数値の個別データであり、これらの個別データが、１０進数または少数位を備えた１０進数を有している、請求項１記載のテリー織り製織機械。
【請求項４】
各データセットのデータが、テリークロスの例えば面積比重量に依存して、データの価値に関して手動で変化可能である、請求項１記載のテリー織り製織機械。
【請求項５】
各データセットのデータと配属されたアドレス１〜ｎとが、操作表面において視覚的に示されている、請求項１記載のテリー織り製織機械。
【請求項６】
データセットのデータが、テリークロスの緯糸密度と立毛高さとテリー織り群とを表す、請求項１記載のテリー織り製織機械。
【請求項７】
データセットと、これらのデータセットの個別データと、アドレス１〜ｎとが、操作表面において表によって示されている、請求項１記載のテリー織り製織機械。
【発明の詳細な説明】
【技術分野】
【０００１】
本発明は、テリー織り製織機械（Frottierwebmaschine）であって、電子制御式の杼口形成機械（Fachbildemaschine）と、互いに無関係に駆動される複数のテリー織り形成機構（Frottierbildeorgane）と、電子式の制御装置とが設けられている形式のものに関する。
【背景技術】
【０００２】
製織機械で特にテリークロス（Frottiergewebe）を製作する際、最終製品、例えば輪奈製品から成っているタオルの面積比重量が、決定的な役割を果たす。最終製品の面積比重量におけるばらつきは、回避されなければならない。テリークロスの場合、面積比重量のばらつきの原因は、主に、種々異なる立毛高さ（Florhoehe）に求められ得る。この重量ばらつきは、織物工場の顧客にとって、通常、受け入れられない。なぜならば、そうでなければ製品は二級品として売らなければならないからである。したがって、立毛高さの一様性は、テリークロスの製作に際して決定的なパラメータである。
【０００３】
テリークロスの製作に際して、組織パラメータおよびいわゆる色選択のほかに、さらに製織パラメータ、例えば緯糸密度、経糸張力、製織機械の回転数、立毛高さ、およびテリー織り群の種類を、行と列とから成る記憶媒体、いわゆる組織図（Bindungspatrone）内に示すことが公知である。
【０００４】
記憶媒体内の重要な製織パラメータを含めた織物構造の図示は、相応の規定に応じて、パターンデザイナによって行われる。この場合、立毛高さは、例えば２０ビット〜２８ビットに基づく８つの列またはトラックによって、記憶媒体内に示される。これにより、予め規定された立毛高さの範囲内で２５６、つまり２８の種々異なる修正可能性が生ぜしめられる。このことは換言すれば、例えば１２ｍｍの目標・立毛高さを備えたテリークロスを製作しようとする場合、目標値１２ｍｍからの偏差を修正するために２５６の修正可能性が存在することを意味する。
【０００５】
記憶媒体内に記憶させられた重要な個別データ、実際とりわけ、特に決定的なパラメータとしての立毛高さは、製織機械の実際の運転中に修正不可能であるかまたは比較的面倒でかつ費用のかかる手段によってしか修正可能ではない。
【０００６】
この関連において、テリークロスの面積比重量を修正する目的のために修正係数を求め、かつこの係数をもとにいわゆる提案間隔（Vorschlagdistanz）、つまり織布の織り前（Anschlagkante）からの緯糸群の間隔を次のように変化させることが、すなわち、テリー織り形成が筬の行程の調節に基づく製織機械において前記行程が適当な調節手段によって増大または減少されるように変化させることが、実際に公知である。
【０００７】
製織機械におけるテリークロスの製作それ自体と提案間隔の影響とは、ここでは引き合いに出さない。なぜならば、このために必要な技術は公知であるからである。
【発明の開示】
【発明が解決しようとする課題】
【０００８】
したがって本発明の課題は、テリー織り製織機械のオペレータに、製作したいテリークロスの織物データが、たいした支出なしに簡単に、例えば要求される面積比重量を維持するために修正可能であるような手段を提供することである。
【課題を解決するための手段】
【０００９】
この課題を解決するために本発明の構成では、電子式の制御装置に、可変な織物データ（Gewebedaten）のユーザ特有の表示を備えた操作表面が配属されており、テリー織り製織のための前記織物データが、記憶媒体Ａ内で、少なくとも１つのデータセットと該データセットに配属された、１〜ｎのアドレスとにまとめられており、前記アドレスが、さらに、組織図と呼ばれる記憶媒体Ｂ内に保管されているようにした。
【発明の効果】
【００１０】
したがって、テリー織り製織機械の電子式の制御装置には、可変な織物データのユーザ特有の表示を備えた操作表面が配属されており、例えば緯糸密度、立毛高さ、および緯糸群の種類のような、テリークロスを製作するための前記織物データは、記憶媒体Ａ内で、少なくとも１つのデータセットと該データセットに配属された、１〜ｎのアドレスとにまとめられており、前記アドレスは、さらに、組織図と呼ばれる記憶媒体Ｂ内に含まれている。
【００１１】
各データセットのデータと、各データセットに配属されたアドレス１〜ｎとは、操作表面においてテリー織り指数（Frottierindex）として視覚的に示されている。この場合、各データセットのデータとアドレス１〜ｎとは、有利には、１０進数としてまたは少数位を備えた１０進数として操作表面において表によって示されている。実際に製織プロセスから得られる実際・面積比重量に依存して、機械オペレータは、１回または複数回キーを押すことによって、各データセットのデータを変化させる、およびこの場合特に個別値としての立毛高さを例えば１２ｍｍから１２．５ｍｍにまたは１２ｍｍから１１．５ｍｍに変化させる手段を有する。
【００１２】
変化させられた前記個別値は、製織機械内の適当な手段によって、例えばいわゆる提案間隔が変化させられかつテリー織り重量が製品の完成後に所望の目標・面積比重量を有する結果をもたらす。
【発明を実施するための最良の形態】
【００１３】
以下に、本発明の実施の形態を図面につき詳しく説明する。
【００１４】
図１では、組織図としても公知である記憶媒体Ｂ内に、織物図（Gewebedarstellung）１のための行１ａおよび列１ｂのほかに少なくとも１つの別の列２が含まれている。この列２内には、織物図１の、緯糸を表す各行１ａに対して、テリークロスを製作するための重要な織物データのデータセットの、例えば１０進数として記憶させられたアドレスが、格納されている。テリー織り指数１〜ｎとも呼ばれるアドレス１〜ｎは、本発明によれば、電子式の機械制御装置４の操作表面３において、１つの表の行３ａ内に視覚的に示されている。個々のアドレスに対しては、データセットが操作表面３の列３ｂ内に示されている。前記データセットは、テリークロスを製作するための織物データ、例えば緯糸密度（Ｓｃｈ．）、立毛高さ（Ｆｌｏｒ．）、テリー織り群の種類（Ｆｒ．Ｇｒ．）、およびパイル比（Ｐｏｌｖ．）を含む。各データセットの後方に隠されている織物データは、テリークロスを製作するためのいわゆる目標データである。
【００１５】
本発明によれば、織物構想に際して前記織物データは、パターンデザイナによって記憶媒体Ｂ内に格納されず、つまり組織図内に格納されない。格納されるのは、相応のデータセットのアドレスもしくはこのアドレスの代理と言えるテリー織り指数だけである。
【００１６】
各データセットは、操作表面において、列１〜ｎ内に現れる（図２参照）。１つのアドレスの１つの列内、例えばテリー織り指数４のアドレス内には、緯糸密度が１０進数１８で示されている。さらに、立毛高さが１０進数１２で示されており、テリー織り群が１０進数４で示されている。テリー織り製織機械５内に存在する、所望のテリークロスを実現するための装置は、信号線路６，７，８によって示してあるように、電子式の前記制御装置４を介して必要な情報を受け取る。
【００１７】
記憶媒体Ｂから杼口形成機械９への組織情報の伝送が信号線路１１を介して行われるのに対して、記憶媒体Ｂから記憶媒体Ａ内へのアドレス情報の伝送は信号線路１０を介して行われる。
【００１８】
製織プロセスの結果においてテリー織り製織機械５のオペレータによって、製品欠陥が例えば面積比重量に鑑みてこの面積比重量に対応しないことが確認される場合、それぞれのデータセット内で１０進数として示された個別データの、面積比重量に影響を与える手動による修正が、簡単に可能となる。テリークロスに関して１２ｍｍの立毛高さに相当する、キーボード「立毛高さ１２」を手で押すことによって、オペレータは、例えば「立毛高さ１２．５」への修正を行うことができる。
【００１９】
テリークロスを製作するための個別データを、テリー織り製織機械の電子式の制御装置のための操作表面に含ませることにより、有利な形式で、かつたいして時間をかけることなく、例えばテリー織り商品の面積比重量に関する要求に応じることができる。
【図面の簡単な説明】
【００２０】
【図１】一方では、記憶媒体Ｂから杼口形成機械への組織情報の情報の流れを示し、他方では、テリークロス・データセットの、記憶媒体Ａ内に格納されたアドレスへの、テリー織り指数として記憶媒体Ｂ内に格納されたアドレス１〜ｎの情報の流れを示す図である。
【００２１】
【図２】テリー織り製織機械の制御ユニットにおける、テリークロス・データセットとこれらのデータセットのアドレス１〜ｎとを備えた操作表面を示す図である。
【符号の説明】
【００２２】
１  織物図、  １ａ  行、  １ｂ  列、  ２  列、  ３  操作表面、  ３ａ  行、  ３ｂ  列、  ４  機械制御装置、  ５  テリー織り製織機械、  ５ａ  テリー織り形成機構、  ６  信号線路、  ７  信号線路、  ８  信号線路、  ９  杼口形成機械、  １０  信号線路、  １１  信号線路
【図１】
2004332192.tif 000003
【図２】
2004332192.tif 000004